(57)【要約】【課題】出力モード選択を備える電子式安定器の提供。【解決手段】本考案は出力モード選択を備える電子式安定器であり、それは安定器主体を含み、その安定器主体は電源へ連接される入力端と、蛍光灯へ連接される複数の出力端を備える。安定器主体内にはモードコントローラが設けられ、そのモードコントローラは複数の出力端の電力出力状態を制御切り替えることができる。【選択図】図１
0003153952.tif 000002
【実用新案登録請求の範囲】
【請求項１】
出力モード選択を備える電子式安定器であって、
安定器主体10を含み、
安定器主体10は、電源へ連接される入力端11と、蛍光灯30へ連接される複数の出力端12を備え、
安定器主体10内にはモードコントローラ13が設けられ、
モードコントローラ13は複数の出力端12の電力出力状態の制御切り替えが可能であることを特徴とする、
出力モード選択を備える電子式安定器。
【請求項２】
前記入力端11と電源の間にはスイッチ20が設けられ、スイッチ20は電源と入力端11の電気性連接状態を制御し、かつ前記モードコントローラ13はスイッチ20のオンオフ切り替え信号によって各出力端12の電力出力状態を変換することができることを特徴とする、請求項１記載の出力モード選択を備える電子式安定器。
【請求項３】
前記モードコントローラ13は更に無線レシーバ14及びリモート発信機15を含み、無線レシーバ14はリモート発信機15の制御信号を受信することができ、それによって前記モードコントローラ13は各出力端12の電力出力状態を変換することを特徴とする、請求項１記載の出力モード選択を備える電子式安定器。
【考案の詳細な説明】
【技術分野】
【０００１】
本考案は出力モード(mode)選択を備える電子式安定器に関するもので、それをもって蛍光灯セット(set)の発光状態を切り替える。
【背景技術】
【０００２】
一般家庭、事務所またはビルディング(building)は常に蛍光灯を照明器具として使用しているが、よく見られる照明器具は燈座を含み、燈座内には複数の蛍光灯が備えられ、一般は2-4本の蛍光灯を一組として使われている。蛍光灯は安定器及びスタータ(starter)と電気的に連接され、電源がオン(on)されると安定器を経て、スタータを通じて蛍光灯は発光して照明する。現在は用電節約が提唱されているので、多くのビルディングまたは事務所は必要でない照明支出を減らすため、例えば本来4本一組の蛍光灯ではその中の半分のスタータを取り外し、一部の蛍光灯の照明を消してしまうので、多い照明が必要でない個所は、照明支出が節減される。ところが事務所または照明が必要な個所について、手動でスタータを取り外す方法は妥当といえない。
【考案の概要】
【考案が解決しようとする課題】
【０００３】
本案は従来の蛍光灯セットの照明の明るさが変えにくい問題を解決するものである。
【課題を解決するための手段】
【０００４】
出力モード選択を備える電子式安定器の一種で、それは電源へ連接される入力端を含む安定器主体と、蛍光灯へ連接される複数の出力端とが含まれ、それの特徴は安定器主体内にモードコントローラ(controller)が設けられ、モードコントローラは複数の出力端への電力出力状態を制御切り替えることができる。
【考案の効果】
【０００５】
本考案の目的及び効果は出力モード選択を備える電子式安定器を提供するもので、それは簡単な制御方法を採用し、モードコントローラによって複数の出力端への電力出力状態を制御切り替え、蛍光灯セットは出力モードの違いによって全部点灯、半数点灯または消灯の照明方式が発生し、再び手動方式をもって蛍光灯のスタータを取り外す必要がなく、人力及び管理上の無駄を大幅に減らすことができる。
【０００６】
また、前記モードコントローラはスイッチのオンオフ(on-off)によって信号を切り替え、各出力端への電力出力状態を変換し、または前記モードコントローラは更に無線レシーバ(receiver)及びリモート(remote)発信機が含まれ、無線レシーバはリモート発信機の制御信号を受信することができ、それによって前記モードコントローラは各出力端への電力出力状態を変えることができる。
【図面の簡単な説明】
【０００７】
【図１】本考案安定器主体の立体外観図である。
【図２】本考案の電気回路の意表図である。
【図３】本考案の連接状態の意表図である。
【図４】本考案の作動の意表図(一)である。
【図５】本考案の作動の意表図(二)である。
【図６】本考案の別の実施例の電気回路の意表図である。
【考案を実施するための形態】
【０００８】
図１から図３に示すように、本案の出力モード選択を備える電子式安定器は安定器主体10を含み、それには電源へ連接される入力端11と、蛍光灯30へ連接される複数の出力端12を備える。安定器主体10内にはモードコントローラ13が設けられ、それは複数の出力端12の電力出力状態を制御切り替えることができる。
【０００９】
前記入力端11と電源の間にはスイッチ20が設けられ、スイッチ20は電源と入力端11の電気性連接状態を制御することができる。
【実施例】
【００１０】
上述技術手段に基づき、図４及び図５に示すように、前記モードコントローラ13はスイッチ20のオンオフ切り替え信号によって、各出力端12の電力出力状態を変換することができる。例えば、スイッチ20を一回オンすると、蛍光灯30は消灯の状態から全部点灯の状態に切り替えられる。再びスイッチ20を一回切り替えると、蛍光灯30は消灯の状態に切り替え戻すことができる。更に短時間内にスイッチ20を連続二回オンオフすると、前記モードコントローラ13は出力端12の電力出力状態を半数点灯のモードに変え、半数だけの蛍光灯30を点灯し、電気使用量の節約かつ照明を提供する目的が達成され、更にスイッチ20を一回切り替えると、蛍光灯30は消灯の状態に切り替え戻すことができる。
【００１１】
或いは循環切り替え方式により、使用者がスイッチ20を押すと、前記モードコントローラ13は順番に全部点灯、半数点灯または全部消灯の照明モードを発生することができる。このように、常に照明が必要の場所に対し、天然の太陽光が充分である状態では蛍光灯30の照明を消してもよい。天候が薄暗くなって天然太陽光の照明がやや不足の場合、または多少のランプを照明とする場合は半数点灯のモードにし、使用電気量を節約する。
【００１２】
本案は簡単な制御方式を採用し、モードコントローラ13によって複数の出力端12への電力出力状態を制御切り替え、蛍光灯30は出力モードの違いによって全部点灯、半数点灯または消灯の照明方式が発生し、再び多くの時間を費やして手動方式をもって蛍光灯30のスタータを取り外す必要がなく、用電節約の目的が達成され、かつ高い明るさの照明が必要の場合は直ちに全部点灯の方式に切り替え戻し、人力及び管理上の無駄を大幅に減らすことができる。
【００１３】
または、図６に示すように、前記安定器主体10は更に無線レシーバ14及びリモート発信機15が含まれ、無線レシーバ14は前記モードコントローラ13と電気性に連結され、無線レシーバ14はリモート発信機15の制御信号を受信することができ、それによって前記モードコントローラ13は各出力端への電力出力状態を変えることができる。使用者は直接リモート発信機15を通じて蛍光灯の照明モードを切り替えることができ、使用者の操作は更に簡単便利になる。
【符号の説明】
【００１４】
10      安定器主体
11      入力端
12      出力端
13      モードコントローラ
14      無線レシーバ
15      リモート発信機
20      スイッチ
30      蛍光灯
【図１】
0003153952.tif 000003
【図２】
0003153952.tif 000004
【図３】
0003153952.tif 000005
【図４】
0003153952.tif 000006
【図５】
0003153952.tif 000007
【図６】
0003153952.tif 000008